(57)【特許請求の範囲】
【請求項１】
台数制御装置又はリモコンと通信するための接続端子を備えた給湯器において、給湯器の通信機能を主局と仮設して接続端子に接続される台数制御装置又はリモコンに要求信号を送信するとともに、台数制御装置又はリモコンから返信された識別信号に基づいて接続端子に接続されたのが台数制御装置なのかリモコンなのかを判別し、その結果によって給湯器の通信機能の従局又は主局を自動選択することを特徴とする給湯器。
【発明の詳細な説明】
【０００１】
【産業上の利用分野】
本発明は、通信機能の主局又は従局に固定されている外部制御機器と通信するための接続端子を備えた給湯器に関する。
【０００２】
【従来の技術】
一般に、給湯器は、その本体内に設けたバーナーコントローラーによって燃焼制御され、そのバーナーコントローラーには通信用の接続端子を介してリモコンが接続される。この場合の通信機能は、バーナーコントローラーが主局に、リモコンが従局に設定される。
また、業務用に大能力給湯を可能にするためには前記給湯器を複数台並設し、各給湯器のバーナーコントローラーを台数制御装置に接続した給湯装置として使用される。この場合の通信機能は、台数制御装置が主局に、バーナーコントローラーが従局に設定され、台数制御装置が複数台の給湯器を同時に作動させるために台数制御装置から出力される出湯開始・停止又は設定温度等の指令にしたがって各バーナーコントローラーが制御され、反対に運転状態などの情報は各バーナーコントローラーから台数制御装置に送られる。
このように給湯器では、接続される外部制御機器が、通信機能の従局に固定されたリモコンか、或いは通信機能の主局に固定された台数制御装置かにより、通信機能の主局又は従局の設定が相違している。
このため、給湯器は通信機能の主局及び従局の設定毎の通信の接続端子を設けたり、通信の接続端子を１個のみ有する給湯器にあっては設定スイッチなどで通信機能の主局又は従局の設定を切り替えていた。
【０００３】
【発明が解決しようとする課題】
しかし、給湯器にリモコン又は台数制御装置といった外部制御機器を接続する施工工事では、通信機能の設定スイッチの切り替えを忘れることがあり、通信機能の設定が異常なまま給湯器を使用する場合がある。このとき、給湯器は電気的な接続を確認後、外部制御機器との通信を開始するが、給湯装置が作動しない場合又は異常動作する場合があった。
【０００４】
【課題を解決するための手段】
上記の課題を解決するために、本願発明に係る給湯器は、台数制御装置又はリモコンと通信するための接続端子を備えたものにおいて、給湯器の通信機能を主局と仮設して接続端子に接続される台数制御装置又はリモコンに要求信号を送信するとともに、台数制御装置又はリモコンから返信された識別信号に基づいて接続端子に接続されたのが台数制御装置なのかリモコンなのかを判別し、その結果によって給湯器の通信機能の従局又は主局を自動選択するものである。
【０００５】
【作用】
上記構成を有する本発明の給湯器では、接続端子に接続される外部制御機器が台数制御装置なのかリモコンなのかを判別し、その結果によって給湯器側の通信機能の従局又は主局を自動選択するので、外部制御機器と通信を行うことができ給湯装置を正常に作動させることができる。
【０００６】
【実施例】
以下、本願発明の給湯器の一実施例を図面に基づいて説明する。
図１は、給湯器が台数制御装置５に接続された給湯装置の概略図であって、この給湯装置１は、複数のｎ台の給湯器２，２・・と、これら給湯器２，２・・を並列に接続する通水管の給水管３と、それぞれからの給湯を湯カラン側に共通に出湯する通水管の出湯管４と、それぞれの給湯器２，２・・と通信回線で結ばれ個別に給水制御するため、出湯温度等の設定状況に応じてそれら給湯器のうち作動を開始する運転台数を総括して、その出湯温度や出湯水量を制御する制御機能部を有した台数制御装置５と、この台数制御装置５に接続され出湯温度等の設定状況を入力するリモコン６，６とからなる。この場合、通信機能の主局に設定が固定されている台数制御装置５に対し、給湯器２は通信機能の従局に設定されている。
給湯器２内には、台数制御装置５からの指令に従い、各給湯器２の給湯動作を制御するバーナーコントローラー２０が設けられる。このバーナーコントローラー２０には給水の入水温を測定する温度センサ２１、出湯量を検出する水量センサ２２、流路を開閉する開閉弁２３及び出湯量を調整する流量制御弁２５が接続されている。
台数制御装置５は、運転台数を制御する各給湯器２，２・・の開閉弁２３の制御を各給湯器に指示すると共に、リモコン６からの設定温度を管理し各給湯器に送信を行う。各給湯器のバーナーコントローラー２０は、開閉弁２３の制御をすると共に、台数制御装置５から送られた設定温度、温度センサ２１及び水量センサ２２並びに燃焼バーナの比例制御弁２４及びそのバーナの上方で燃焼状態を検知する燃焼センサなどより給湯器内のガス供給部及び空気供給部の駆動制御等を行う。なお、２６はガス流路の開閉を司る主電磁弁である。
なお、給湯器が単体で主に家庭用にリモコンを取り付け使用される場合は図示しないが、上記のような給湯器２とリモコン６とから構成されており、通信機能の従局に設定が固定されているリモコン６に対しては、給湯器２を通信機能の主局に設定する。
【０００７】
この給湯器２のバーナーコントローラー２０は、外部制御機器の種類を確認する判定部及び通信機能を自動選択する切替部を備える。以下、それらの動作原理についてフローチャートを示す図２に基づいて説明する。
まず、給湯装置１に電源が投入されると給湯器２の判定部はステップＳ１において接続した外部制御機器５の種類を確認する。
そして、その結果である判別部の出力によりステップＳ２において切替部が通信機能を自動選択し、外部制御機器５がリモコンであればステップＳ３において給湯器２における通信機能を主局に設定する。また、同様に外部制御機器５がリモコンでなければ台数制御装置としてステップＳ４において給湯器２を通信機能の従局に切替部が設定する。
【０００８】
次に、切替部の動作について図３に基づき詳しく説明する。
まず、ステップＳ１１において接続する外部制御機器５へ識別コードを送信するよう要求信号を、通信機能を主局に仮設する給湯器２が送信し、ステップＳ１２において予め外部制御機器５に割り当てられていた識別コードが返信されてくる。ここでは、３台のリモコンに対しては識別コードを０、１、２とし、台数制御装置５の識別コードは３とする。これにより、判別部は外部制御機器５の種類を確認できる。
そして、ステップＳ２において、判別部の出力である返信された識別コードがリモコンの識別コード０、１、２であれば、ステップＳ３において給湯器２における通信機能を主局に切替部が設定する。また、外部制御機器５がリモコンでなければ台数制御装置としてステップＳ４において、給湯器２を通信機能の従局に切替部が設定する。
このように外部制御機器の識別信号により自動選択をする本実施例では、給湯器に取り付けた接続端子が１つしかなく、接続端子の物理的識別が困難な場合に実施することができ、接続端子の個数を最小とし給湯器の小型化及びコストダウンに効果がある。
【０００９】
【発明の効果】
以上に詳述したように、この発明によれば、単体使用時のリモコン又は給湯装置の台数制御装置といった外部制御機器との接続を給湯器に施工工事する場合に、給湯器が外部制御機器の種類を自動判別し、外部制御機器に適した通信機能の主局又は従局に切り替え正常な通信状態で動作をするので、従来のような通信機能の設定スイッチの調整が不要になり、メンテナンスのしやすい給湯器を提供することができる。
【図面の簡単な説明】
【図１】本発明の一実施例としての給湯器を給湯装置に取り付けた概略図である。
【図２】本発明の一実施例としての給湯器の作動を示すフローチャート図である。
【図３】本発明の一実施例としての給湯器の作動を示すフローチャート図である。
【符号の説明】
１・・給湯装置、２・・給湯器、３・・給水管、４・・出湯管、５・・台数制御装置、６・・リモコン。
【図１】
0003548207.tif 000002
【図２】
0003548207.tif 000003
【図３】
0003548207.tif 000004